(57)【要約】      （修正有）【課題】商品の加熱劣化を抑制しつつ売れ行きの異なる商品を販売可能な自動販売機を提供する。【解決手段】商品収納庫の開口部の上下端部に配設した商品投入口１０ａ，１０ｂおよび商品払出口１１ａ，１１ｂとをそれぞれ連繋し、商品収納庫の背面側を通って商品収納庫の開口部の中段領域を迂回するよう配設された迂回通路９ａ，９ｂを有する迂路型商品通路９Ａ，９Ｂと、前記商品収納の開口部の中段領域に上下段に分割して設けた個別の保管用商品通路１３Ａ〜１３Ｄに商品供給通路１２を介して連通する加熱・冷却用商品通路１４Ａ〜１４Ｃを設け、商品収納庫の背面に敷設され、下端が前記冷却／加熱ユニットに連通し、上端が商品収納庫の中段位置に開口する循環用ダクト６０とにより、複数の加熱・冷却用商品通路に収容された商品および迂路型商品通路に収容された商品のうちの一部を冷却又は加熱するよう部分冷却若しくは部分加熱する。【選択図】図２
2010055172.tif 000002
【特許請求の範囲】
【請求項１】
缶入り飲料などの商品を加熱（ホット）又は冷却（コールド）状態に保存して販売する自動販売機において、商品収納庫の開口部の上部領域であって前記開口部に臨むよう上下方向に並べて配設した複数の商品投入口および商品収納庫の開口部の下部領域であって前記開口部に臨むよう上下方向に並べて配設した商品払出口とをそれぞれ連繋し、商品収納庫の背面側を通って商品収納庫の開口部の中段領域を迂回するよう配設された迂回通路を有する迂路型商品通路と、前記商品収納の開口部の中段領域に設けられ、前記迂路型商品通路の商品投入口の下方に上下方向に並べて配設された複数の商品投入口にそれぞれ連繋し、かつ、商品搬出口がそれぞれ共通の商品供給通路に連通した複数の保管用商品通路と、前記保管用商品通路の下方に設けられ、前記迂路型商品通路の商品払出口の上方に上下方向に並べて配設された複数の商品払出口にそれぞれ連繋し、かつ、前記商品供給通路に連通した補給口を有する複数の加熱・冷却用商品通路と、商品収納庫の下部に配設され、商品収納庫内に冷却又は加熱した空気を送風する冷却／加熱ユニットと、商品収納庫の背面に敷設され、下端が前記冷却／加熱ユニットに連通し、上端が商品収納庫の中段位置に開口する循環用ダクトとを備え、前記冷却／加熱ユニットと循環用ダクトにより複数の加熱・冷却用商品通路に収容された商品および迂路型商品通路に収容された商品のうちの一部を冷却又は加熱するよう部分冷却若しくは部分加熱することを特徴とする自動販売機。
【発明の詳細な説明】
【技術分野】
【０００１】
この発明は、缶入り飲料などの商品を加熱（ホット）又は冷却（コールド）状態に保存して販売する自動販売機に関する。
【背景技術】
【０００２】
缶入り飲料などの商品を加熱（ホット）又は冷却（コールド）状態に保存して販売する自動販売機においては、断熱筐体としてなる本体キャビネットの商品収納庫内に保存された商品をホット飲料又はコールド飲料として提供するために販売適温に加熱又は冷却した状態で保存している。このため、ホット飲料として提供される商品、特にコーヒー飲料においては加熱された状態で保存される時間が長くなると香味が失われて品質が劣化する。このような品質劣化を避けるために本体キャビネットの商品収納庫内を断熱性のシャッタ装置により上下に仕切り、その上部側を常温保存領域とし、下部側を加熱・冷却保存領域とした自動販売機が知られている（例えば、特許文献１）。
【０００３】
前記特許文献１に開示された自動販売機においては加熱・冷却保存領域に売れ行きなどに応じて予め設定された数量の商品が収容され、当該商品が販売される都度、常温保存領域に収容された商品を加熱・冷却保存領域に供給するように構成されている。
【特許文献１】特開２０００−３０１３８号公報
【発明の開示】
【発明が解決しようとする課題】
【０００４】
前記特許文献１に開示された自動販売機においては加熱・冷却保存領域に保存される数量が売れ行きなどにより予め設定されていることから加熱劣化する商品や賞味期限の管理を行うことができ、所定期限内に販売できなかった商品を廃棄するような無駄を排除できる点で優れている。しかしながら、常温保存領域と加熱・冷却保存領域との間に断熱性のシャッタ装置が配設されることから商品通路の長さが短くなり、例えば売れ行きが良好で大量販売が見込まれる商品の保存数量も限定されることから売り上げの減少を招来するという問題を有する。
【０００５】
そこで、本発明は上記の点に鑑みなされたものであり、その目的は前記課題を解決し、加熱劣化を抑制しつつ売れ行きの異なる商品を販売可能な自動販売機を提供することにある。
【課題を解決するための手段】
【０００６】
上記目的を達成するために請求項１に係る発明は、缶入り飲料などの商品を加熱（ホット）又は冷却（コールド）状態に保存して販売する自動販売機において、商品収納庫の開口部の上部領域であって前記開口部に臨むよう上下方向に並べて配設した複数の商品投入口および商品収納庫の開口部の下部領域であって前記開口部に臨むよう上下方向に並べて配設した商品払出口とをそれぞれ連繋し、商品収納庫の背面側を通って商品収納庫の開口部の中段領域を迂回するよう配設された迂回通路を有する迂路型商品通路と、前記商品収納の開口部の中段領域に設けられ、前記迂路型商品通路の商品投入口の下方に上下方向に並べて配設された複数の商品投入口にそれぞれ連繋し、かつ、商品搬出口がそれぞれ共通の商品供給通路に連通した複数の保管用商品通路と、前記保管用商品通路の下方に設けられ、前記迂路型商品通路の商品払出口の上方に上下方向に並べて配設された複数の商品払出口にそれぞれ連繋し、かつ、前記商品供給通路に連通した補給口を有する複数の加熱・冷却用商品通路と、商品収納庫の下部に配設され、商品収納庫内に冷却又は加熱した空気を送風する冷却／加熱ユニットと、商品収納庫の背面に敷設され、下端が前記冷却／加熱ユニットに連通し、上端が商品収納庫の中段位置に開口する循環用ダクトとを備え、前記冷却／加熱ユニットと循環用ダクトにより複数の加熱・冷却用商品通路に収容された商品および迂路型商品通路に収容された商品のうちの一部を冷却又は加熱するよう部分冷却若しくは部分加熱することを特徴とする。
【発明の効果】
【０００７】
本発明の請求項１に係る自動販売機によれば、缶入り飲料などの商品を加熱（ホット）又は冷却（コールド）状態に保存して販売する自動販売機において、商品収納庫の開口部の上部領域であって前記開口部に臨むよう上下方向に並べて配設した複数の商品投入口および商品収納庫の開口部の下部領域であって前記開口部に臨むよう上下方向に並べて配設した商品払出口とをそれぞれ連繋し、商品収納庫の背面側を通って商品収納庫の開口部の中段領域を迂回するよう配設された迂回通路を有する迂路型商品通路と、前記商品収納の開口部の中段領域に設けられ、前記迂路型商品通路の商品投入口の下方に上下方向に並べて配設された複数の商品投入口にそれぞれ連繋し、かつ、商品搬出口がそれぞれ共通の商品供給通路に連通した複数の保管用商品通路と、前記保管用商品通路の下方に設けられ、前記迂路型商品通路の商品払出口の上方に上下方向に並べて配設された複数の商品払出口にそれぞれ連繋し、かつ、前記商品供給通路に連通した補給口を有する複数の加熱・冷却用商品通路と、商品収納庫の下部に配設され、商品収納庫内に冷却又は加熱した空気を送風する冷却・加熱ユニットと、商品収納庫の背面に敷設され、下端が前記冷却／加熱ユニットに連通し、上端が商品収納庫の中段位置に開口する循環用ダクトとを備え、前記冷却／加熱ユニットと循環用ダクトにより複数の加熱／冷却用商品通路に収容された商品および迂路型商品通路に収容された商品のうちの一部を冷却又は加熱するよう部分冷却若しくは部分加熱することにより、売れ行きが良好で大量販売が見込まれる商品は迂路型商品通路に収納することにより大量販売を可能とし、また、売れ行きの芳しくない商品は加熱・冷却用商品通路に収容して商品の加熱劣化を防止し、多種類の商品の販売を可能にしつつ廃棄される商品を抑制することができる。
【発明を実施するための最良の形態】
【０００８】
以下、本発明における実施の形態である自動販売機を図面に基づいて説明する。
図１は本発明の実施の形態である自動販売機を示す正面図、図２は図１の側面断面図である。なお、図１では自動販売機の外扉と内扉を開放した状態を示しており、外扉と内扉を省略している。
【０００９】
図１において、１は前面が開口した本体キャビネット１である。前記本体キャビネット１は鋼板製の外箱の内側、すなわち、上壁，左右側壁，背壁および底壁１ａにウレタンフォームからなる断熱ボードを配設して断熱筐体として構成されている。前記本体キャビネット１の断熱ボードで囲まれた商品収納庫内は断熱仕切板２により左右方向に複数、この実施の形態では３つの商品収納室３，４，５に区画されている。各商品収納室３，４，５には本発明により提供される商品収納ラックＲ（商品収納室３には左右２列、商品収納室４には１列、商品収納室５には左右２列）がそれぞれ収設され、前記商品収納ラックＲの前方下部には前下がりに傾斜するシュートＣが配置されている。前記シュートＣの後端が固着された風胴６内には、それぞれの商品収納室３，４，５を冷却もしくは加熱して商品収納ラックＲに収容した商品をコールド・ホット状態に保存する後述する冷却ユニット若しくは冷却／加熱ユニットが配設されている。また、前記本体キャビネット１の底壁１ａの下部は機械室として形成され、この機械室には前記冷却／加熱ユニットの冷却ユニットと冷凍サイクルを構成する圧縮機６４（図２参照）、凝縮器６５、膨張機構６６および凝縮器６５に送風する庫外ファン６７が配設されている。前記冷却ユニットのみが配設された商品収納室はコールド専用室、冷却／加熱ユニットが配設された商品収納室はホット／コールド兼用室とされ、図に示す例では商品収納室３がコールド専用室、商品収納室４，５がホット／コールド兼用室とされ、この場合コールド専用室である商品収納室３の風胴６内には機械室の圧縮機６４，凝縮器６５で圧縮，凝縮された冷媒が循環される蒸発器６１、庫内ファン６２が冷却ユニットとして設置されており、ホット／コールド兼用室である商品収納室４，５の風胴６内には前記蒸発器６１、庫内ファン６２に加えて商品加熱用のヒーター６３が加熱ユニットとして設置されている。そして、風胴６の後端には循環用ダクト６０が風胴６と連通して配備され、前記循環用ダクト６０の上端６０ａは商品収納庫の略中段位置に開口している。なお、前記風胴６の前面は開口しており、上面にはシュートＣと同様に無数の穴が形成されている。
【００１０】
前記本体キャビネット１の前面に開閉自在に装着された外扉７（図２参照）の前面には良く知られているようにディスプレイ台に載置された商品見本のディスプレイ室が形成され、このディスプレイ室の前面を覆う透明板には各商品見本に対応して設けられた商品選択ボタンを備えた商品選択ボタンユニットが配設されるとともに商品取出口７ａに加えて硬貨投入口、紙幣投入口、釣銭返却口、返却レバー、シリンダー錠付きのハンドルロック装置などが組付けられている。前記本体キャビネット１における商品収納庫の前面を閉塞する内扉８は、この例では上下に分割されており、下部側の内扉８には各商品収納室３〜５のシュータＣと対峙する位置に搬出扉付きの商品搬出口８ａが設けられている。前記商品搬出口８ａの搬出扉は上端を軸支されて常時商品搬出口を閉塞して冷気若しくは暖気の流出を防止するものであり、シュートＣを介して送出される商品により押し開かれるように形成されている。
【００１１】
さて、前記商品収納ラックＲは、図２に示すように、左右一対の側板２０（図２では一方の側板２０のみが示されている）間に薄板鋼板２１により区画され、商品収納庫の背面側を通って商品収納庫の開口部の中段領域を迂回するよう配設された迂回通路９ａ，９ｂを有する迂路型商品通路９Ａ，９Ｂを有している。各迂路型商品通路９Ａ，９Ｂは商品収納庫の開口部の上部領域であって前記開口部に臨むよう上下方向に並べて配設した複数の商品投入口１０ａ，１０ｂおよび商品収納庫の開口部の下部領域であって前記開口部に臨むよう上下方向に並べて配設した商品払出口１１ａ，１１ｂとをそれぞれ連繋している。つまり、各迂路型商品通路９Ａ，９Ｂは商品収納庫の上下端部に配設された商品投入口１０ａ，１０ｂと商品払出口１１ａ，１１ｂとをそれぞれ連繋する商品通路９ａ，９ｂを介して長い商品通路を形成している。なお、各迂路型商品通路９Ａ，９Ｂの商品払出口１１ａ，１１ｂの近傍には商品を１個ずつ搬出する商品払出機構１５がそれぞれ設けられている。
【００１２】
前記迂路型商品通路９Ａ，９Ｂにおける迂回通路９ａ，９ｂの前方には商品供給通路１２が形成されている。また、前記迂路型商品通路９Ａ，９Ｂの商品投入口１０ａ，１０ｂの下方に上下方向に並べて配設された複数の商品投入口１３ａ，１３ｂ，１３ｃ，１３ｄにそれぞれ連繋した複数の保管用商品通路１３Ａ，１３Ｂ，１３Ｃ，１３Ｄが設けられ、これら保管用商品通路１３Ａ，１３Ｂ，１３Ｃ，１３Ｄのそれぞれの出口である商品搬出口は前記商品供給通路１２に連通している。さらに、前記迂路型商品通路９Ａ，９Ｂの商品払出口１１ａ，１１ｂの上方に上下方向に並べて配設された複数の商品払出口１４ａ，１４ｂ，１４ｃにそれぞれ連繋した複数の加熱・冷却用商品通路１４Ａ，１４Ｂ，１４Ｃが設けられ、これら加熱・冷却用商品通路１４Ａ，１４Ｂ，１４Ｃのそれぞれ入口である商品補給口は前記商品供給通路１２に連通している。前記保管用商品通路１３Ａ，１３Ｂ，１３Ｃ，１３Ｄは商品収納庫の後方に向かって、また、加熱・冷却用商品通路１４Ａ，１４Ｂ，１４Ｃは商品収納庫の前方に向かってそれぞれ下り傾斜のスラント通路として形成されている。前記商品供給通路１２、保管用商品通路１３Ａ，１３Ｂ，１３Ｃ，１３Ｄおよび加熱・冷却用商品通路１４Ａ，１４Ｂ，１４Ｃも薄板鋼板により区画されている。
【００１３】
前記保管用商品通路１３Ａ，１３Ｂ，１３Ｃ，１３Ｄの商品搬出口、および加熱・冷却用商品通路１４Ａ，１４Ｂ，１４Ｃの商品払出口１４ａ，１４ｂ，１４ｃの近傍には商品を１個ずつ搬出する商品払出機構１５がそれぞれ設けられている。また、前記加熱・冷却用商品通路１４Ａ，１４Ｂのそれぞれの商品補給口には当該商品補給口を開閉するシャッタ１８ａ，１８ｂが設けられ、このシャッタ１８ａ，１８ｂは下端を軸支されて常時商品補給口を閉塞しており、加熱・冷却用商品通路１４Ａ，１４Ｂに商品を補給する際に前記商品供給通路１２に突出して当該商品供給通路１２を落下する商品を加熱・冷却用商品通路１４Ａ，１４Ｂに補給するものである。これらシャッタ１８ａ，１８ｂは不図示の駆動手段、例えばモータに連結されており、制御部からの駆動信号を受けてモータが回転することにより加熱・冷却用商品通路１４Ａ，１４Ｂのそれぞれの商品補給口を開閉するように構成されている。
【００１４】
前記迂路型商品通路９Ａ，９Ｂの商品払出口１１ａ，１１ｂおよび加熱・冷却用商品通路１４Ａ，１４Ｂ，１４Ｃの商品払出口１４ａ，１４ｂ，１４ｃはそれぞれ商品落下通路１６に連通しており、商品落下通路１６の下方にはシュートＣが配設されている。また、商品払出口１１ａ，１１ｂ，１４ａ，１４ｂ，１４ｃの端縁には回動可能に軸支されたフラッパ１７が設けられ、フラッパ１７は常時は商品落下通路１６に突出して当該商品落下通路１６を閉塞するように不図示のコイルスプリングにより付勢され、前記商品落下通路１６を落下する商品が当接すると当該商品の自重により前記商品落下通路１６から退避するように回動するとともに落下する商品の姿勢を横置き姿勢に矯正し、かつ、商品の落下を制動して商品の落下衝撃を抑制するものである。なお、商品供給通路１２にもフラッパ１７が設けられている。
【００１５】
図２は自動販売機の設置時、又は商品を入れ替えた初期の商品補充時の状態を示しており、前記迂路型商品通路９Ａ，９Ｂには売れ行きが良好で大量販売が見込まれる種類の商品が収容されている。前記保管用商品通路１３Ａ，１３Ｂ，１３Ｃ，１３Ｄには売れ行きは芳しくないが需要のある種類の商品が個別に収容されている（なお、この実施の形態では保管用商品通路１３Ａ，１３Ｂには同一種類の商品が収容されている）。また、加熱・冷却用商品通路１４Ａ，１４Ｂ，１４Ｃには保管用商品通路１３Ａ，１３Ｂ，１３Ｃ，１３Ｄに収容した種類の商品が収容されており、この実施の形態では加熱・冷却用商品通路１４Ａ，１４Ｂには保管用商品通路１３Ｃ，１３Ｄに収容された種類の商品が収容され、加熱・冷却用商品通路１４Ｃには保管用商品通路１３Ａ，１３Ｂに収容された種類の商品が収容されている。ここで、加熱・冷却用商品通路１４Ａ（１４Ｂ）への商品補充は保管用商品通路１３Ｄ（１３Ｃ）に商品を投入することにより次のような初期設定動作を実行して商品の補充が行われる。すなわち、保管用商品通路１３Ｄ（１３Ｃ）の商品払出機構１５を動作させると同時に加熱・冷却用商品通路１４Ａ（１４Ｂ）のシャッタ１８ａ（１８ｂ）を作動させて加熱・冷却用商品通路１４Ａ（１４Ｂ）の商品補給口を開放することにより保管用商品通路１３Ｄ（１３Ｃ）に収容された商品を商品供給通路１２を介して供給し、この動作を所定回数繰り返すことにより実行される。また、加熱・冷却用商品通路１４Ｃへの商品補充は保管用商品通路１３Ａ（又は１３Ｂ）に商品を投入することによって、加熱・冷却用商品通路１４Ａ（１４Ｂ）への商品の補充と同様の動作（シャッタ１８ａ，１８ｂの動作を除く）により実行される。
【００１６】
次に、本発明の実施の形態における自動販売機における商品収納室３，４，５の冷却・加熱動作について説明する。まず、商品収納室４，５（ホット／コールド兼用室）をコールド室として使用する場合にはヒーター６３をオフし、圧縮機６４，凝縮器６５で圧縮，凝縮された冷媒を蒸発器６１に送り、蒸発器６１で熱交換した冷気を庫内ファン６２でシュータＣの下側および風胴６の上面から吹き出して商品収納ラックＲ内の商品を冷却して循環用ダクト６０を介して蒸発器６１に戻すような冷気循環を行う。一方、商品収納室４，５をホット室として使用する場合は前記蒸発器６１への冷媒を停止させてヒーター６３をオンにし、上記と同様に暖気の循環を行って商品を加熱する。前記商品収納室４，５のホット／コールド室への切り替えは季節の変わり目などに行われる。なお、コールド専用室である商品収納室３は常時、蒸発器６１で熱交換した冷気を庫内ファン６２でシュータＣの下側および風胴６の上面から吹き出して商品収納ラックＲ内の商品を冷却して循環用ダクト６０を介して蒸発器６１に戻すような冷気循環が行われている。
【００１７】
ここで、商品収納庫内の温度分布は循環用ダクト６０の高さ付近を境としてその下部側は所定の冷却／加熱温度に維持され、その上部側は略外気温度（常温）に近い温度となる。これは、庫内ファン６２によりシュータＣの下側および風胴６の上面から吹き出して商品収納ラックＲ内の商品を冷却／加熱して循環用ダクト６０を介して蒸発器６１に戻る循環気流により循環用ダクト６０の上端６０ａの高さより下部側は循環気流によって所定の冷却／加熱温度に維持されるのに対し、循環用ダクト６０の上端６０ａの高さ位置から商品収納庫の天井までは前記循環気流が殆ど生じることがなく対流が形成されるのみであるので、その温度は略外気温度に近い温度となる。そのため、商品収納庫の中段位置であって循環用ダクト６０の上端６０ａの高さより下部側に位置する加熱・冷却用商品通路１４Ａ，１４Ｂ，１４Ｃに収容された商品は販売に適した温度に冷却／加熱して保存され、保管用商品通路１３Ａ，１３Ｂ，１３Ｃ，１３Ｄに収容された商品は略常温に保存されることとなる。なお、迂路型商品通路９Ａ，９Ｂに収容された商品も同様に循環用ダクト６０の上端６０ａの高さ位置を境にその下部側の商品が販売に適した温度に冷却／加熱され、その上部側の商品が略常温で保存されている。
【００１８】
次に、本発明の実施の形態における自動販売機における販売時に動作について説明する。
外扉７に設けられた商品選択ボタンが操作されると不図示の制御部から販売指令が対応する商品払出機構１５に供給される。今、商品選択ボタンの操作により迂路型商品通路９Ａ（９Ｂ）の商品が選択されたとすると、当該迂路型商品通路９Ａ（９Ｂ）に設けた商品払出機構１５は最下位から２番目の次販売商品を保持（当該商品の落下を阻止）しつつ最下位の販売商品を商品落下通路１６に搬出する。前記商品落下通路１６に搬出された販売商品は商品落下通路１６に突出したフラッパ１７と当接して制動されつつ落下姿勢の矯正を受けながらシュートＣに落下する。シュートＣに落下した販売商品はシュートＣ上を滑走若しくは転動して内扉８の商品搬出口８ａを介して外扉７の商品取出口７ａに送出される。
【００１９】
前記商品選択ボタンの操作により加熱・冷却用商品通路１４Ａ（１４Ｂ）の商品が選択されたとすると、当該加熱・冷却用商品通路１４Ａ（１４Ｂ）に設けた商品払出機構１５が動作して販売商品を商品落下通路１６に搬出する。前記商品落下通路１６に搬出された販売商品は前述した経路を介して外扉７の商品取出口７ａに送出される。ここで、加熱・冷却用商品通路１４Ａ（１４Ｂ）から商品が搬出されると当該加熱・冷却用商品通路１４Ａ（１４Ｂ）には保管用商品通路１３Ｄ（１３Ｃ）から常温の商品が供給される。この供給動作は前記加熱・冷却用商品通路１４Ａ（１４Ｂ）からの販売動作回数（連続販売などに対応）をメモリに記憶しておき、販売待機状態となった際に実行される。つまり、前記加熱・冷却用商品通路１４Ａ（１４Ｂ）からの販売が終了して販売待機状態となると、前記メモリの記憶内容に基き（今の場合、メモリの記憶内容が「１」とする）、保管用商品通路１３Ｄ（１３Ｃ）に設けた商品払出機構１５を動作させると同時に加熱・冷却用商品通路１４Ａ（１４Ｂ）の商品補給口に設けたシャッタ１８ａ（１８ｂ）を駆動して当該シャッタ１８ａ（１８ｂ）を商品供給通路１２に突出させる。これにより保管用商品通路１３Ｄ（１３Ｃ）から搬出された常温の商品が商品供給通路１２を介して加熱・冷却用商品通路１４Ａ（１４Ｂ）に供給される。この場合、商品供給通路１２を落下する商品はフラッパ１７による落下速度の制動を受けつつ落下姿勢の矯正を受けるので加熱・冷却用商品通路１４Ａ（１４Ｂ）に安定して商品を補給することができる。これと同様に加熱・冷却用商品通路１４Ｃから商品が搬出された際にも保管用商品通路１３Ａ（１３Ｂ）から常温の商品が供給されるものである。
【００２０】
次に、本発明の実施の形態における自動販売機への商品補充作業について説明する。巡回作業員による商品補充操作は従前と同様に、それぞれ迂路型商品通路９Ａ，９Ｂの商品投入口１０ａ，１０ｂ、および保管用商品通路１３Ａ，１３Ｂ，１３Ｃ，１３Ｄの商品投入口１３ａ，１３ｂ，１３ｃ，１３ｄから所定の商品を当該商品通路が満杯になるまで、すなわち、それぞれの商品投入口１０ａ，１０ｂ，１３ａ，１３ｂ，１３ｃ，１３ｄの入口まで商品を投入すればよい。ここで、本発明にかかる商品収納ラックにおいては迂路型商品通路９Ａ，９Ｂの商品払出口１１ａ，１１ｂ、および加熱・冷却用商品通路１４Ａ，１４Ｂ，１４Ｃの商品払出口１４ａ，１４ｂ，１４ｃが商品収納庫の開口部に近接していることから残留する商品を目視することが可能で、残留商品の賞味期限を確認することができる。このため、賞味期限が次回の商品補充に時期以前にものは商品払出機構１５を作動させて取出すこととなるが、本発明に係る商品収納ラックにおいては商品通路の長さが異なることから売れ行きの異なる商品ごとに最適長さの商品通路を選択使用していることによって商品の売切れ時期が略一致するので残留商品の数は少なく、仮に廃棄するにしてもその数量は従来に比して極めて少ない。なお、加熱・冷却用商品通路１４Ａ，１４Ｂ，１４Ｃに収納した商品を廃棄した場合には初期設定と同様に保管用商品通路１３Ａ，１３Ｂ，１３Ｃ，１３Ｄから加熱・冷却用商品通路１４Ａ，１４Ｂ，１４Ｃに商品を補給する。
【００２１】
前述したとおり本発明によれば、缶入り飲料などの商品を加熱（ホット）又は冷却（コールド）状態に保存して販売する自動販売機において、商品収納庫の開口部の上部領域であって前記開口部に臨むよう上下方向に並べて配設した複数の商品投入口１０ａ，１０ｂおよび商品収納庫の開口部の下部領域であって前記開口部に臨むよう上下方向に並べて配設した商品払出口１１ａ，１１ｂとをそれぞれ連繋し、商品収納庫の背面側を通って商品収納庫の開口部の中段領域を迂回するよう配設された迂回通路９ａ，９ｂを有する迂路型商品通路９Ａ，９Ｂと、前記商品収納の開口部の中段領域に設けられ、前記迂路型商品通路９Ａ，９Ｂの商品投入口１０ａ，１０ｂの下方に上下方向に並べて配設された複数の商品投入口１３ａ，１３ｂ，１３ｃ，１３ｄにそれぞれ連繋し、かつ、商品搬出口がそれぞれ共通の商品供給通路１２に連通した複数の保管用商品通路１３Ａ，１３Ｂ，１３Ｃ，１３Ｄと、前記保管用商品通路１３Ａ，１３Ｂ，１３Ｃ，１３Ｄの下方に設けられ、前記迂路型商品通路９Ａ，９Ｂの商品払出口１１ａ，１１ｂの上方に上下方向に並べて配設された複数の商品払出口１４ａ，１４ｂ，１４ｃにそれぞれ連繋し、かつ、前記商品供給通路１２に連通した補給口を有する複数の加熱・冷却用商品通路１４Ａ，１４Ｂ，１４Ｃと、商品収納庫の下部に配設され、商品収納庫内に冷却又は加熱した空気を送風する冷却／加熱ユニットと、商品収納庫の背面に敷設され、下端が前記冷却／加熱ユニットに連通し、上端が商品収納庫の中段位置に開口する循環用ダクト６０とを備え、前記冷却／加熱ユニットと循環用ダクト６０により複数の加熱・冷却用商品通路１４Ａ，１４Ｂ，１４Ｃに収容された商品および迂路型商品通路９Ａ，９Ｂに収容された商品のうちの一部を冷却又は加熱するよう部分冷却若しくは部分加熱することにより、売れ行きが良好で大量販売が見込まれる商品は迂路型商品通路に収納することにより大量販売を可能とし、また、売れ行きの芳しくない商品は加熱・冷却用商品通路に収容して商品の加熱劣化を防止し、多種類の商品の販売を可能にしつつ廃棄される商品を抑制することができる。また、迂路型商品通路９Ａ，９Ｂの商品払出口１１ａ，１１ｂ、および加熱・冷却用商品通路１４Ａ，１４Ｂ，１４Ｃの商品払出口１４ａ，１４ｂ，１４ｃが商品収納庫の開口部（前方）に近接して位置していることから、それぞれの商品払出口１１ａ，１１ｂ、１４ａ，１４ｂ，１４ｃに位置する商品を目視することが可能であり、これにより商品の賞味期限を容易に確認することができる。
【００２２】
なお、前述した実施の形態においては外扉の前面に商品見本を展示したディスプレイ室を備えてなるものについて説明したが、これに限るものではない。例えば、外扉を内部（商品収納庫の開口部）を透視可能な透視窓を備えたものとすることができるものであり、実施の形態に限定されるものではない。
【図面の簡単な説明】
【００２３】
【図１】本発明の実施の形態である自動販売機を示す要部正面図である。
【図２】図１の側面断面図である。
【符号の説明】
【００２４】
１    本体キャビネット
２    断熱仕切板
３，４，５    商品収納庫
６    風胴
７    外扉
８    内扉
９Ａ，９Ｂ  迂路型商品通路
１０ａ，１０ｂ，１３ａ〜１３ｄ    商品投入口
１１ａ，１１ｂ，１４ａ〜１４ｃ    商品払出口
１２    商品供給通路
１３Ａ，１３Ｂ，１３Ｃ，１３Ｄ    保管用商品通路
１４Ａ，１４Ｂ，１４Ｃ    加熱・冷却用商品通路
Ｒ    商品収納ラック
６０    循環用ダクト
６１    蒸発器
６３    ヒーター
６４    圧縮機
６５    凝縮器
【図１】
2010055172.tif 000003
【図２】
2010055172.tif 000004